(57)【要約】【課題】  ＣＣＤの駆動周波数に対して適切な画像出力補正を行うことができる原稿読取装置を提供する。【解決手段】  複数の出力端子を持つ光電変換素子列１０を幾通りかの駆動周波数で使用する原稿読取装置において、出力端子のレベル差を補正する補正テーブルを駆動周波数ごとに設定した多重補正テーブル２１を備えた。【選択図】  図１
2007150884.tif 000002
【特許請求の範囲】
【請求項１】
複数の出力端子を有する光電変換素子列を複数の駆動周波数により駆動する原稿読取装置において、前記複数の出力端子の出力レベル差を補正する補正テーブルとして駆動周波数ごとに設定した多重補正テーブルを備えたことを特徴とする原稿読取装置。
【請求項２】
複数の出力端子を有する光電変換素子列を複数の駆動周波数により駆動する原稿読取装置において、前記複数の出力端子の出力レベル差を補正する補正テーブルと、該補正テーブルの内容を駆動周波数毎に演算して書き換える補正値演算回路と、を備えたことを特徴とする原稿読取装置。
【発明の詳細な説明】
【技術分野】
【０００１】
本発明は、１ラインごとに複数の出力端子（Ｏｄｄ、Ｅｖｅｎ、あるいはＦｉｒｓｔ、Ｌａｓｔ）を有するＣＣＤイメージセンサを用いた原稿読取装置に関する。
【背景技術】
【０００２】
図５乃至図７に基づいて従来例の原稿読取装置を説明する。図５は一般的な原稿読取装置の構成図である。コンタクトガラス１の下に走査光学系２がある。走査光学系２は、光学ランプ３と第１ミラー４が搭載された第１キャリッジ５、第２ミラー６、第３ミラー７が搭載された第２キャリッジ８、レンズ９、ＣＣＤ１０を備える。またＣＣＤ１０の下流には図６に示す画像処理ブロックが搭載された基板がある。
図６は従来例に係る画像読取装置の回路ブロック図である。先頭画素から順次前半分（Ｆ側、Ｆｉｒｓｔ）の画素を出力する端子と、末尾画素から順次後半分（Ｌ側、Ｌａｓｔ）の画素を出力する端子を持つＣＣＤ１０を用いている。ＣＣＤ１０は、さらにＦ側、Ｌ側それぞれ奇数番画素Ｏ（Ｏｄｄ）を出力する端子と偶数番画素Ｅ（Ｅｖｅｎ）を出力する端子とに分かれて、全部で４出力からなっている。
Ｆ、ＬのＯとＥはそれぞれ、アナログ信号処理回路１１に接続している。ここではゲイン調整とＯとＥの出力を合成するなどして適正なアナログ信号を生成している。さらにＡ／Ｄ変換器１２と、ＦとＬに分かれている画像データを合成する１ライン化回路（ＦＩＦＯなどのメモリからなる）１３と、照度分布やＣＣＤ画素の感度差を補正するためのシェーディング補正回路（メモリと演算素子からなる）１４がある。数値８はビット数を表す。
こうして得られたＦ側とＬ側のデジタル画像出力であるが、シェーディング補正後であっても出力値に差が出てしまうことがある（ＦＬ差）。即ち、一様濃度の原稿を読取っても中央のＦとＬの境界部分に段差が出てしまう。このため、例えばＬ側の回路に補正テーブル（ルックアップテーブル）１５を持たせてＦＬ差を補正している。
補正テーブル１５は例えば図７に示すグラフのような入出力特性を持ち、これはＬを入力してＦを出力する内容になっている。ＣＣＤ単品ごとに特性が異なるので例えば原稿読取装置の製造ラインの工程で補正テーブル１５を取得する。
具体的には、濃度が異なる複数段のグレーチャートを読取り、各グレーチャートのＬ側のデジタル出力値がＦ側に一致するような関係を持たせ、間のデータは補間することによって全濃度に対する補正テーブルを取得する。なお、ここではＦを基準としてＬを補正する場合を示しているが、逆もあり得る。
補正テーブル１５を用いて左右の段差を補正する技術として、例えば特許文献１に記載されたものが知られている。
【特許文献１】特開２００２−２１８１８６公報
【発明の開示】
【発明が解決しようとする課題】
【０００３】
上記従来例は１つの周波数に対して、補正テーブルを用いて左右の段差を補正しようとするものである。ここでＣＣＤを複数の駆動周波数で使用する場合、周波数ごとにそれに対応した補正テーブルが必要であり、複数の駆動周波数に対して同じ補正テーブルを用いると不適切な補正をしてしまうことがある。
周波数切り替えが必要な場合とは、例えばコピーモード／スキャナモード、あるいは白黒モード／カラーモードなどをユーザーが選択しなおす場合である。スキャナモードの方が、あるいはカラーモードの方が、システムが要求しているコピースピードが遅くてもよい場合があるので、その分スキャナの読取速度が遅くてもよくなり、したがって周波数も遅くてもよくなるということになる。
本発明はこのような背景に鑑みてなされたものであり、ＣＣＤの駆動周波数に対して適切な画像出力補正を行うことができる原稿読取装置を提供することを目的とする。
【課題を解決するための手段】
【０００４】
上記目的を達成するために、請求項１記載の発明は、複数の出力端子を有する光電変換素子列を複数の駆動周波数により駆動する原稿読取装置において、前記複数の出力端子の出力レベル差を補正する補正テーブルとして駆動周波数ごとに設定した多重補正テーブルを備えた原稿読取装置を特徴とする。
請求項２記載の発明は、複数の出力端子を有する光電変換素子列を複数の駆動周波数により駆動する原稿読取装置において、前記複数の出力端子の出力レベル差を補正する補正テーブルと、該補正テーブルの内容を駆動周波数毎に演算して書き換える補正値演算回路と、を備えた原稿読取装置を特徴とする。
【発明の効果】
【０００５】
本発明によれば、複数の出力端子を持つ光電変換素子列を複数の駆動周波数により使用する原稿読取装置において、出力端子の出力レベル差を補正する補正テーブルとして駆動周波数ごとに設定した多重補正テーブルを備える、または出力端子のレベル差を補正する補正テーブルの内容を駆動周波数毎に演算して書き換える補正値演算回路を備えたことで、駆動周波数に対して適切な画像出力補正を行うことができる。
【発明を実施するための最良の形態】
【０００６】
以下、本発明の実施形態を図面にしたがって説明する。なお従来例と同一モジュールには同一符号を付し、重複する説明は省略する。
図１は本発明の第１の実施形態に係る画像読取装置の回路ブロック図である。第１の実施形態では、多重補正テーブル２１を備える。即ち補正テーブルが周波数（ＣＣＤ駆動周波数）ごとに用意されており、周波数切り替えごとにＨｉｇｈ／Ｌｏｗとなるテーブル選択信号によってどの補正テーブルを使用するか決められる。
具体的にはＲＯＭのアドレスの最上位をテーブル選択信号とし、それ以下のアドレスは入力値、そのデータは出力値という構成にしている。ＲＯＭの容量を多くすればテーブル選択信号を複数ビットにできるのでさらに多くの周波数に対応できる。
【０００７】
図２は本発明の第２の実施形態に係る画像読取装置の回路ブロック図である。第２の実施形態では、図６に示す従来例の構成のほかに補正値演算回路２２を持つ。多数の周波数を持つ装置では周波数ごとに補正テーブルを用意したのではＲＯＭの容量が膨大になり、また製造工程での作業も多くなる。そこで代表的な周波数のみの補正テーブル１５だけを取得して、それ以外はそれをもとに演算によって補正テーブルを作成するものである。
ただし、周波数と補正値（即ちＦＬ差）の相関関係は把握しているものとする。例えば図３のように周波数に対して全入力データで比例関係にあるという具合である。図２によれば、まず基本となる周波数（例えば３０ＭＨｚ）に対する補正テーブル１５を従来と同様に作成し、この場合は補正値演算回路２２に内蔵したＲＯＭに保存する。
そしてあるモードの実際の周波数も３０ＭＨｚの場合はそれを、別のモードが例えば２０ＭＨｚの場合は全入力データに対する出力データの差分を３分の２倍とした値をそれぞれ補正テーブル１５に書き込む（図４参照）。２、３通りの周波数であれば補正テーブル１５にその分を書き込めばよい。
さらに補正テーブル１５にＲＡＭを用いることによって周波数を切り替えるたびに補正テーブル１５の内容を書き換えることもできる。この場合、容量は１テーブル分だけあればよい。いずれでも周波数と補正値の相関関係さえ分かれば、基本となる周波数の補正テーブル１５を得るだけで、あらゆる周波数に対応できる。
【０００８】
一種類のＣＣＤ１０を何機種かに搭載する場合、機種ごとあるいはモードごとに何通りもの周波数が存在することになるが、補正値演算回路２２を用いることで、部品としてＣＣＤ１０を納入した時点で基本となる周波数に対する補正テーブル１５が得られれば、そのＣＣＤ１０がどの機種のどのモードで使用された場合も、適する補正テーブル１５を取得することができる。また、そのＣＣＤ１０に対して履歴を残しておけば、部品リサイクルで将来また別の機種に搭載されることになっても同様に適する補正テーブル１５を取得することができる。
モノクロ読取を兼ねたカラー原稿読取装置の場合、画像データはＲｅｄ、Ｇｒｅｅｎ、Ｂｌｕｅの３系統あるが、モノクロ読取時はこの中のＧｒｅｅｎのみしか使用しない。そこでカラー読取時とモノクロ読取時で周波数が違っても、補正テーブルを２つ持つのはＧｒｅｅｎだけでよく、したがってＧｒｅｅｎのみ補正テーブルを切り替えればよい。
【図面の簡単な説明】
【０００９】
【図１】本発明の第１の実施形態に係る画像読取装置の回路ブロック図である。
【図２】本発明の第２の実施形態に係る画像読取装置の回路ブロック図である。
【図３】周波数とＦＬ差の関係の一例を示す図である。
【図４】補正テーブルの一例を示す図である。
【図５】一般的な原稿読取装置の構成図である。
【図６】従来例に係る画像読取装置の回路ブロック図である。
【図７】補正テーブルの入出力特性の一例を示す図である。
【符号の説明】
【００１０】
１０  ＣＣＤ（光電変換素子列）、１５  補正テーブル、２１  多重補正テーブル、２２  補正値演算回路
【図１】
2007150884.tif 000003
【図２】
2007150884.tif 000004
【図３】
2007150884.tif 000005
【図４】
2007150884.tif 000006
【図５】
2007150884.tif 000007
【図６】
2007150884.tif 000008
【図７】
2007150884.tif 000009